(57)【特許請求の範囲】
【請求項１】
試験機本体に試験片を配置する試験空間が設けられ、前記試験片に試験力を加えるために移動する移動部材を有する負荷機構と、前記試験力を検出するための試験力検出器と、前記負荷機構の動作を制御する制御装置とを備えた材料試験機において、
前記試験機本体における正面側の面に、試験中の前記試験機本体における前記移動部材の移動方向を、移動方向を示す図形を用いて表示するための表示領域を設け、
前記制御装置は、前記表示領域における前記図形の表示を制御するための表示制御部を備え、
前記表示領域に表示される前記図形は、前記移動部材の移動方向に向けて角を有する形状を有することを特徴とする材料試験機。
【請求項２】
請求項１に記載の材料試験機において、
前記図形は、前記移動部材の移動速度の高低をさらに表現する材料試験機。
【請求項３】
請求項２に記載の材料試験機において、
前記移動部材の移動速度の高低は、前記図形の表示個数で表現され、
前記表示制御部は、試験力の大きさを、前記図形の表示色を制御することにより表現する材料試験機。
【請求項４】
請求項１から請求項３のいずれか１項に記載の材料試験機において、
前記移動部材は、負荷軸に沿って昇降するクロスヘッドであり、
前記表示領域は、前記クロスヘッドの端部が係合するねじ棹または支柱を覆うカバーに配設される材料試験機。
【発明の詳細な説明】
【技術分野】
【０００１】
この発明は、試験片に試験力を負荷して材料試験を実行する材料試験機に関する。
【背景技術】
【０００２】
このような材料試験機は、試験片に試験力を与える負荷機構を制御して、引張試験、圧縮試験、疲労試験等を行う。例えば、引張試験を実行する材料試験機は、クロスヘッドの両端部を、ナットを介してねじ棹に係合させ、このねじ棹をサーボモータによって回転させることによりクロスヘッドを昇降させ、クロスヘッドに取り付けた上つかみ具と装置本体側に取り付けた下つかみ具とにその両端を把持された試験片に試験力として引張負荷を付与する（特許文献１参照）。なお、材料試験の試験中においては、試験片に付与された試験力はロードセルにより測定され、試験片の変位は変位計により測定される。
【０００３】
この種の材料試験機では、試験中に測定される試験力や変位は、試験機本体の制御部に接続された操作パネルや、試験制御および解析ソフトウェアがインストールされたパーソナルコンピュータの表示部に他の試験情報とともに表示されている。また、特許文献２では、試験中の試験力や変位、あるいは、試験状態に関するアラーム情報を他の試験情報とは別に表示するために、試験機本体のクロスヘッド等に表示器を設けた材料試験機が記載されている。
【先行技術文献】
【特許文献】
【０００４】
【特許文献１】特開平８−１８４５４１号公報
【特許文献２】特開２００３−１８５５４６号公報
【発明の概要】
【発明が解決しようとする課題】
【０００５】
試験材料の性質、試験条件によっては、試験片に試験力を付与するために移動するクロスヘッドなどの部材の動きが極めて微小で、操作者がそのような動きを視認できない場合がある。このような場合には、負荷機構の駆動が停止していると勘違いしてしまい、操作者が試験機本体に近づいてしまうことがある。しかしながら、操作者が、試験片に試験力が付与されている試験中に、試験機本体に不用意に近づくことは、危険である。
【０００６】
操作者は、試験中に試験機本体に近づこうとするときに、操作パネルやパーソナルコンピュータの表示部を操作者が確認すれば、試験片に付与されている試験力の測定値や負荷機構の駆動状況等を知ることができる。しかしながら、表示部が試験機本体から離れた場所に配置されている場合には、試験力等の確認を怠り、試験中の試験機本体に近づいてしまう可能性がある。
【０００７】
また、特許文献２のようにクロスヘッドに試験力の測定値を表示する表示器を設けておけば、操作者が試験中の試験機本体に近づくときに、試験力の確認を容易に行える。しかしながら、表示器に表示される試験力の数値が、その材料試験機の最大負荷容量に対してどの程度の大きさなのか等、材料試験機の試験許容範囲における試験力の大小を理解することに不慣れな操作者に対しては、このような数値表示が不用意に試験機本体に近づかないように注意を促す表示としては十分でない場合がある。
【０００８】
この発明は、上記課題を解決するためになされたものであり、試験中の試験機の状態を図形で表示する表示領域を試験機本体の正面側に設けることにより、試験状態の視認性を向上させた材料試験機を提供することを目的とする。
【課題を解決するための手段】
【０００９】
請求項１に記載の発明は、試験機本体に試験片を配置する試験空間が設けられ、前記試験片に試験力を加えるために移動する移動部材を有する負荷機構と、前記試験力を検出するための試験力検出器と、前記負荷機構の動作を制御する制御装置とを備えた材料試験機において、前記試験機本体における正面側の面に、試験中の前記試験機本体における前記移動部材の移動方向を、移動方向を示す図形を用いて表示するための表示領域を設け、前記制御装置は、前記表示領域における前記図形の表示を制御するための表示制御部を備え、前記表示領域に表示される前記図形は、前記移動部材の移動方向に向けて角を有する形状を有することを特徴とする。
【００１０】
請求項２に記載の発明は、請求項１に記載の材料試験機において、前記図形は、前記移動部材の移動速度の高低をさらに表現する。
【００１１】
請求項３に記載の発明は、請求項２に記載の材料試験機において、前記移動部材の移動速度の高低は、前記図形の表示個数で表現され、前記表示制御部は、試験力の大きさを、前記図形の表示色を制御することにより表現する。
【００１２】
請求項４に記載の発明は、請求項１から請求項３のいずれか１項に記載の材料試験機において、前記移動部材は、負荷軸に沿って昇降するクロスヘッドであり、前記表示領域は、前記クロスヘッドの端部が係合するねじ棹または支柱を覆うカバーに配設される。
【発明の効果】
【００１３】
請求項１から請求項４に記載の発明によれば、試験機本体における正面側の面に、試験中の試験機本体における移動部材の移動方向を、移動方向を示す図形を用いて表示するための表示領域を設けていることから、試験機本体における試験機の状態の視認性が向上し、試験中の操作者の作業の安全性を向上させることが可能となる。
【００１４】
請求項２に記載の発明によれば、図形表示により移動部材の移動速度の高低をさらに表現することから、試験中に操作者が視認できない低速で移動部材が移動している場合でも、操作者は試験機本体での移動速度の表示により、移動部材が停止し試験が終了したと勘違いして、試験機本体に不用意に近づくことを防止することができる。
【００１５】
請求項３に記載の発明によれば、移動部材の移動方向を図形の形状、移動部材の移動速度の高低を図形の表示個数、試験力の大きさを図形の表示色により表現することから、操作者は、これらの表示により、直感的に試験機の状態を把握することが可能となる。
【００１６】
請求項４に記載の発明によれば、クロスヘッドを昇降させるねじ棹または支柱を覆うカバーに表示領域を設けることにより、試験片に対する負荷方向と表示領域における図形の配置に関連を持たせることができ、操作者への試験機の状態の直感的な理解をより向上させることが可能となる。
【図面の簡単な説明】
【００１７】
【図１】この発明に係る材料試験機の概要図である。
【図２】この発明に係る材料試験機の主要な制御系を示すブロック図である。
【図３】引張試験が行われているときの表示ユニット２９の表示例を示す説明図である。
【発明を実施するための形態】
【００１８】
以下、この発明の実施の形態を図面に基づいて説明する。図１は、この発明に係る材料試験機の概要図である。図２は、主要な制御系を示すブロック図である。
【００１９】
この材料試験機は、クロスヘッド１１、基台１８および基台１８の左右に立設されたカバー１２により囲まれた試験機本体１の試験空間に、試験片１０を配置して材料試験を実行するものである。試験片１０は、クロスヘッド１１側に配設された上つかみ具２１、および、基台１８に固定された下つかみ具２２により両端部を把持されることにより、試験空間に配置される。なお、上つかみ具２１は、軸心調整機構１３およびロードセル１４を介してクロスヘッド１１に配設されている。
【００２０】
クロスヘッド１１の両端部には、基台１８の左右に立設されたカバー１２内に配置される一対のねじ棹と螺合する図示しないナット部が配設されている。そして、一対のねじ棹が基台１８内に配設されたモータ１９の駆動により同期して回転することで、クロスヘッド１１は上下方向に移動する。クロスヘッド１１が上昇することにより、試験片１０に引張荷重（試験力）が負荷される。
【００２１】
試験片１０に負荷される試験力は、試験力検出器としてのロードセル１４により検出される。また、試験片１０の上下の標点間の変位量は、接触方式または非接触方式の変位計２３により検出される。ロードセル１４および変位計２３からの信号は、本体制御部３３に入力される。本体制御部３３は、ロードセル１４および変位計２３からの信号に基づいて、モータ１９の駆動制御信号を作成する。これにより、モータ１９の回転が制御されクロスヘッド１１が負荷軸に沿って移動し、引張試験等の各種材料試験が実行される。
【００２２】
試験機本体１は、本体制御部３３を介してパーソナルコンピュータ３１に接続されている。パーソナルコンピュータ３１には、試験機本体１の制御ソフトウェアがインストールされており、制御ソフトウェアのＧＵＩを介して、本体制御部３３に入力された、ロードセル１４の検出値である試験力値、および、変位計２３の検出値である変位量を操作者は確認することも可能である。なお、パーソナルコンピュータ３１は、本体制御部３３と通信可能な位置であれば、試験機本体１とは別室に配置されてもよい。
【００２３】
カバー１２の一方には、試験機本体１の正面視において、クロスヘッド１１の移動方向と移動速度および、そのときに試験片１０に負荷されている試験力の大きさを操作者に提示するための表示ユニット２９が配置されている。この表示ユニット２９は、試験中の試験機本体１における移動部材の移動方向、および、試験片１０に負荷された試験力の大きさを表現する図形を表示するためのこの発明の表示領域に相当する。表示ユニット２９は、図１に示すように、上下対称に４個の矢印型の図形が表示可能な領域を有する。この表示ユニット２９では、矢印の向きがクロスヘッド１１の移動方向を示し、矢印の数がクロスヘッド１１の移動速度を表現し、矢印の色が試験力の大きさを表す。
【００２４】
表示ユニット２９としては、所望のサイズのＬＥＤドットマトリックスモジュールを組み合わせて構成したもの、あるいは、ＬＥＤ光源を配置した金属枠に、図１に示す矢印型の半透明のアクリル樹脂カバーを取り付けたもの等、ＬＥＤ表示器を採用することができる。表示ユニット２９の表示内容は、本体制御部３３に配置された表示コントローラ３４により制御される。
【００２５】
図３は、引張試験が行われているときの表示ユニット２９の表示例を示す説明図である。なお、図中の矢印においては、矢印の表示色の違いを異なるハッチングで表している。図３（ａ）の矢印内のハッチングは、ロードセル１４の定格容量の５０％未満の負荷となる試験力が検出された状態の表示色を示し、図３（ｂ）の矢印内のハッチングは、５０％以上８０％未満の負荷となる試験力が検出された状態の表示色を示し、図３（ｃ）の矢印内のハッチングは、８０％以上の負荷となる試験力が検出された状態の表示色を示している。
【００２６】
試験中に試験片１０に与えられる試験力は、ロードセル１４により検出され、本体制御部３３に入力される。本体制御部３３では、その試験力の検出値が、ロードセル１４の定格容量の８０％以上の負荷、５０％以上８０％未満の負荷、５０％未満の負荷であるかが判断される。なお、ロードセル１４は、材料試験機の最大負荷容量と要求される測定精度を考慮して選定されている。したがって、このようなロードセル１４の試験力の検出値が、ロードセル１４の定格容量のどの範囲にあるかの判断は、その材料試験機での許容試験範囲における試験力の大小の判断となる。表示コントローラ３４には、例えば、ロードセル１４の定格容量の８０％以上の負荷のときは赤色、５０％以上８０％未満の負荷のときは黄色、５０％未満の負荷のときは青色など、予め試験力の大小に対応付けてＬＥＤの発光設定がされている。なお、この実施形態では、ＬＥＤにより３色が表現できればよい。ロードセル１４による試験力の検出値がロードセル１４の定格容量の８０％以上の負荷、５０％以上８０％未満の負荷、５０％未満の負荷のいずれであるかが判断されると、表示コントローラ３４は、試験力の大きさに対応づけられた表示色となるように、ＬＥＤの点灯を制御する。
【００２７】
試験中のクロスヘッド１１の移動速度と移動方向は、カバー１２内のねじ棹の回転速度と回転方向から求めることができ、このねじ棹の回転速度と回転方向は、ねじ棹を回転させるモータ１９の試験中の駆動状態から求めることができる。モータ１９の駆動状況は、本体制御部３３により監視され、そこから求められたクロスヘッド１１の移動速度と移動方向に応じて、表示ユニット２９におけるＬＥＤの点灯制御が表示コントローラ３４により実行される。
【００２８】
材料試験機で実現可能な試験速度（ｍｍ／ｍｉｎ）の範囲は、材料試験機の仕様上、決まっていることから、この表示例で示すクロスヘッド１１の移動速度を示すためにＬＥＤを点灯させて表示ユニット２９に表示される矢印の数は、仕様上の試験速度範囲に基づいて予め表示コントローラ３４に設定されている。例えば、仕様上の試験速度範囲が０．０００５〜５００ｍｍ／ｍｉｎの場合、試験中のクロスヘッド１１の移動速度が０．０１ｍｍ／ｍｉｎ未満（極低速）のときに矢印１個、０．０１ｍｍ／ｍｉｎ以上１ｍｍ／ｍｉｎ未満（低速）のときに矢印２個、１ｍｍ／ｍｉｎ以上１００ｍｍ／ｍｉｎ未満（中速）のときに矢印３個、１００ｍｍ／ｍｉｎ以上（高速）のときに矢印４個を表示する対応付けがなされている。このように、試験速度範囲に対する矢印の表示個数の割り当ては、クロスヘッド１１の移動が、目視で分かりにくい速度範囲ほど細かく個数を変化させるようにしてもよく、また、均等に割り当ててもよい。なお、矢印の表示最大個数は４個に限定されるものではなく、適宜変更可能である。
【００２９】
図３の表示例では、引張試験を実行中であり、クロスヘッド１１の移動方向である上側に向けて角を有する４個の図形（矢印）のうち、そのときのクロスヘッド１１の移動速度に応じた数だけ表示コントローラ３４の作用によりＬＥＤの点灯表示がされることになる。図３（ａ）は、矢印が青色で１個点灯表示されているので、ロードセル１４の定格容量の５０％未満の負荷となる試験力が検出された状態でクロスヘッド１１が極低速で移動している状態を示し、図３（ｂ）は、矢印が黄色で２個点灯表示されているので、５０％以上８０％未満の負荷となる試験力が検出された状態でクロスヘッド１１が低速で移動している状態を示し、図３（ｃ）は、矢印が赤色で３個点灯表示されているので、８０％以上の負荷となる試験力が検出された状態でクロスヘッド１１が中速で移動している状態を示すことになる。
【００３０】
なお、ゴム材料の引張試験など、クロスヘッド１１の移動速度が比較的速く、目視によるクロスヘッド１１の移動状態の確認が容易に行える試験においては、矢印の数によるクロスヘッド１１の移動速度の表現を省略してもよい。このような場合は、１個の矢印でクロスヘッド１１の移動方向とそのときの試験力の大きさが表現できることから、表示ユニット２９の構成および表示コントローラ３４の制御設定をより簡易化することができる。
【００３１】
表示ユニット２９の表示図形は、移動部材の移動方向に向けて角を有する形状であれば、実施形態に示された矢印型に限定されない。例えば、三角形のみの図形や、三角形と矩形を組み合わせた図形であってもよい。また、三角形と矩形を組み合わせた図形の場合、図形の数ではなく、図形の縦方向の長さ（矩形部分の長さ）でクロスヘッド１１の移動速度を表現するようにしてもよい。さらに、クロスヘッド１１の移動速度の表現と、試験力の大きさの表現は、逆であってもよい。すなわち、クロスヘッド１１の移動速度を表示色で表現し試験力の大きさを図形の数で表現してもよい。
【００３２】
上述した実施形態では、カバー１２に表示ユニット２９を設けた例を示したが、例えば、基台１８に支持板を付設し、その支持板に表示ユニット２９を支持させるようにしてもよい。また、表示ユニット２９の配置は、表示ユニット２９に表示させる図形の配列が負荷軸に平行な配列でなくとも、試験機本体１の正面視において、クロスヘッド１１の移動方向である上下方向が理解できれば、負荷軸に対して傾斜していてもよい。また、表示ユニット２９としては、上述した実施形態で例示したＬＥＤ表示器の他に、液晶パネルなどを使用してもよい。
【００３３】
上述した実施形態では、試験片に試験力を加えるために移動する移動部材がクロスヘッド１１である材料試験機を例に説明したが、負荷機構としてシリンダ式アクチュエータを備える材料試験機では、ピストンロッドが移動部材となる。このように、負荷機構の異なる材料試験機においても、試験機本体における正面側の面に、試験中の試験機本体における移動部材の移動方向、および、試験片に負荷された試験力の大きさを表現する図形を表示するための表示領域を設けることは可能である。また、シリンダ式アクチュエータをクロスヘッドに備える材料試験機では、一対の支柱に対してクロスヘッドが架設され、支柱におけるクロスヘッドの高さ位置が調整される構成となっている。このような材料試験機では、支柱を覆うカバーに表示領域を設けるようにしてもよい。
【００３４】
さらに、上述した実施形態では、引張試験などの静的試験を行うときの、試験機の状態の表示を説明したが、例えば、試験片１０に繰り返し負荷を与える疲労試験などの動的試験においては、負荷部材が所定の周期で上下に移動することから、図３に示す上向きの矢印と下向きの矢印とが、負荷部材の移動に同期して、そのときの試験力の大きさに応じた表示色で交互に点滅することになる。
【００３５】
また、静的試験のみを行う材料試験機の場合は、上述した実施形態のように、表示ユニット２９において、上下対称となるように同一図形を同数配置して表示するようにしているが（図１および図３参照）、表示ユニット２９の縦方向のスペースを短くして、引張試験なのか圧縮試験なのかにより、矢印の方向を選択的に逆転させて表示するようにしてもよい。
【符号の説明】
【００３６】
１      試験機本体
１０      試験片
１１      クロスヘッド
１２      カバー
１３      軸心調整装置
１４      ロードセル
１８      基台
２１      上つかみ具
２２      下つかみ具
２３      変位計
２９      表示ユニット
３１      パーソナルコンピュータ
３３      本体制御部
３４      表示コントローラ
【図１】
0006784006.tif 000002
【図２】
0006784006.tif 000003
【図３】
0006784006.tif 000004